(57)【特許請求の範囲】
【請求項１】
複数の移動局それぞれから受信する信号に基づいて該複数の移動局毎に遅延スプレッドを推定する受信部と、
前記受信部で推定された遅延スプレッドに基づいて前記移動局毎にガードインターバルの長さを決定し、決定したガードインターバルの長さおよび所定の長さのデータシンボルとから１フレームに挿入可能な前記データシンボルの数であるシンボル数を移動局毎に算出するスケジューリング部と、
前記スケジューリング部で前記移動局に対応して決定された長さのガードインターバルを該移動局宛のデータシンボルの先頭に付加し、前記スケジューリング部で算出された、該移動局に対応する前記シンボル数のデータシンボルを含むフレームを該移動局宛に生成するガードインターバル付加部と、
を有し、
前記スケジューリング部は、前記シンボル数を移動局毎に算出する際、「該シンボル数」×「前記ガードインターバルおよび前記データシンボルの合計長」が予め決められた長さ以下になるように前記シンボル数を決定する、無線基地局装置。
【請求項２】
前記スケジューリング部は、
前記遅延スプレッドの大きさに比例する、前記ガードインターバルの長さを算出する、請求項１記載の無線基地局装置。
【請求項３】
無線基地局から受信する信号に基づいて遅延スプレッドを推定する受信部と、
前記受信部で推定された遅延スプレッドに基づいてガードインターバルの長さを決定し、決定したガードインターバルの長さおよび所定の長さのデータシンボルとから１フレームに挿入可能な前記データシンボルの数であるシンボル数を算出するスケジューリング部と、
前記スケジューリング部で決定された長さのガードインターバルを前記無線基地局宛のデータシンボルの先頭に付加し、前記スケジューリング部で算出された前記シンボル数のデータシンボルを含むフレームを該無線基地局宛に生成するガードインターバル付加部と、
を有し、
前記スケジューリング部は、前記シンボル数を算出する際、「該シンボル数」×「前記ガードインターバルおよび前記データシンボルの合計長」が予め決められた長さ以下になるように前記シンボル数を決定する、通信端末。
【請求項４】
前記スケジューリング部は、
前記遅延スプレッドの大きさに比例する、前記ガードインターバルの長さを算出する、請求項３記載の通信端末。
【請求項５】
複数の移動局それぞれから受信する信号に基づいて該複数の移動局毎に遅延スプレッドを推定し、
推定した遅延スプレッドに基づいて前記移動局毎にガードインターバルの長さを決定し、
決定したガードインターバルの長さおよび所定の長さのデータシンボルとから１フレームに挿入可能な前記データシンボルの数であるシンボル数を移動局毎に算出し、
前記移動局に対応して決定された長さのガードインターバルを該移動局宛のデータシンボルの先頭に付加し、該移動局に対応する前記シンボル数のデータシンボルを含むフレームを該移動局宛に生成し、
前記シンボル数を移動局毎に算出する際、「該シンボル数」×「前記ガードインターバルおよび前記データシンボルの合計長」が予め決められた長さ以下になるように前記シンボル数を決定する、通信処理方法。
【請求項６】
前記ガードインターバルの長さを決定する際、前記遅延スプレッドの大きさに比例する、前記ガードインターバルの長さを算出する、請求項５記載の通信処理方法。
【請求項７】
複数の移動局それぞれから受信する信号に基づいて該複数の移動局毎に遅延スプレッドを推定し、
推定した遅延スプレッドに基づいて前記移動局毎にガードインターバルの長さを決定し、
決定したガードインターバルの長さおよび所定の長さのデータシンボルとから１フレームに挿入可能な前記データシンボルの数であるシンボル数を移動局毎に算出し、
前記移動局に対応して決定された長さのガードインターバルを該移動局宛のデータシンボルの先頭に付加し、該移動局に対応する前記シンボル数のデータシンボルを含むフレームを該移動局宛に生成する処理をコンピュータに実行させ、
前記シンボル数を移動局毎に算出する際、「該シンボル数」×「前記ガードインターバルおよび前記データシンボルの合計長」が予め決められた長さ以下になるように前記シンボル数を決定する処理を前記コンピュータに実行させるためのプログラム。
【請求項８】
前記ガードインターバルの長さを決定する際、前記遅延スプレッドの大きさに比例する、前記ガードインターバルの長さを算出する処理を前記コンピュータに実行させるための請求項７記載のプログラム。
【発明の詳細な説明】
【技術分野】
【０００１】
本発明は、無線基地局装置、通信端末、通信処理方法、およびその方法をコンピュータに実行させるためのプログラムに関する。
【背景技術】
【０００２】
ＯＦＤＭ（Orthogonal  Frequency  Division  Multiplexing）無線通信は、広い通信帯域にユーザ毎のデータをシリアルパラレル変換して伝送するマルチキャリア方式である。それぞれの信号は互いに直交するため、ＦＤＭ通信に比べて帯域を狭くすることができる。このようにＯＦＤＭ通信はマルチキャリア伝送のため高速通信が可能であるが、一方でビットもしくはシンボル周期が短くなるため、符号間干渉の影響が問題になってくる。【０００３】
ＯＦＤＭ通信では、符号間干渉の影響を避けるために、データの先頭にガードインターバルを付加する。図１はガードインターバルを説明するための図である。【０００４】
図１に示すように、一定周期の通信フレーム内の各データシンボルには、遅延波による符号間干渉を回避するために、ガードインターバルが付加されている。ガードインターバルは、データシンボルの後ろの一定区間を先頭部分にコピーしたものである。ガードインターバルをデータに付加することによって符号間干渉を避けることができる。【０００５】
しかし、ガードインターバルは容量が小さくても、システム全体から見ると損失にあたるため、必要以上にガードインターバルを長くすると伝送容量低下の要因となる。そのため、ガードインターバルの長さを変える方法として、様々な提案がなされている。【０００６】
提案の一例が、特開２００６−３５２７８６号公報（以下では、特許文献１と称する）に開示されている。特許文献１では、各移動局の遅延スプレッドの量を考慮して移動局を分類し、分類された移動局毎に、規定された時間スロット内で各移動局に対して周波数を割り当てることが開示されている。遅延スプレッドとは、移動局と基地局との間の伝搬遅延時間の時間的ゆらぎ（広がり）を表すものである。また、特許文献１には、エリア内における移動局の分布に関連させて、受信遅延スプレッドの異なる移動局を適切なガードインターバル長を有する時間スロット内に割り当てることが開示されている。【０００７】
特許文献１に開示された方法では、移動局毎に遅延スプレッドを判断し、比較的短い遅延スプレッド用のガードインターバルを付加したシンボルと、平均的な遅延スプレッド用のガードインターバルを付加したシンボルと、比較的長い遅延スプレッド用のガードインターバルを付加したシンボルの計３種類のシンボルによって通信フレームを構成している。【０００８】
図２は関連する技術の通信処理方法を比較するための図である。【０００９】
図２には、ガードインターバル（ＧＩ）の長さであるＧＩ長が一定の場合のフレームと、特許文献１に開示された方法によるフレームが示されている。図２を参照して、ＧＩ長一定の場合と特許文献１に開示された方法の場合とを比較すると、通信フレームを同じシンボル数で構成すると、特許文献１に開示された方法の方がＧＩ長一定の場合よりも、通信フレーム長を短縮できる利点がある。
【発明の概要】
【００１０】
自動車や電車、船舶などの移動体を対象とする移動体通信では中継局やテレビ放送などの固定通信とは異なり、伝搬環境が時々刻々と変化するため、このような伝搬環境化では次のような問題が生じる。
【００１１】
ＧＩ長一定の場合において、セル半径が小さく高い建物が多く存在する伝搬環境では、大きな遅延波が発生する確率は小さいため、符号間干渉によって伝送容量劣化が起こる可能性は小さい。しかし、ＯＦＤＭ通信においてガードインターバルは基本的に大きな損失であるため、大きな遅延波が発生しない環境で必要以上にガードインターバルを大きくすると伝送容量の低下につながる。
【００１２】
一方、セル半径が大きく建物があまり存在しないような開けた地域かつ山岳などの反射物が存在する伝搬環境では、電力の高い大きな遅延波が発生する確率が高い。そしてその遅延波の影響よって符号間干渉が発生し、伝送容量の低下を引き起こしてしまう。
【００１３】
さらに、複数基地局と複数移動局のＯＦＤＭ無線通信システムを想定した場合、さらなる伝送容量の低下を引き起こしてしまう。
【００１４】
以上のよう移動体通信においては、時々刻々と伝搬環境が変化するため、様々な長さの遅延波が発生する。そのため、ガードインターバルの長さを一定にした場合のＯＦＤＭ無線通信では伝送容量が低下し、通信システムの非効率化につながる。
【００１５】
また、特許文献１の方法では、下り回線と上り回線が周波数で異なるＦＤＤ（Frequency  Division  Duplex）方式では通信フレーム長を短縮すれば通信すればするほど、伝送速度を上げることができる。しかし、下り回線と上り回線が同じＴＤＤ（Time  Division  Duplex）方式では問題となる。
【００１６】
すなわち、この方式をＴＤＤ方式で実現すると、下り回線と上り回線を切り替える時に必要なガードピリオドが増加してしまう。ガードピリオドはある一定時間通信を行わない区間であり、システムから見れば損失である。よって、ＴＤＤ方式で実現すると、ガードピリオドの短縮でフレーム長が短縮できる反面、ガードピリオド増加による損失も伴う。
【００１７】
以上の問題のため、特許文献１に開示された方法において、ＴＤＤ方式を使用する通信方式ではガードインターバルを削減できても伝送速度を上げることができない。
【００１８】
本発明の目的の一つは、符号間干渉の影響を抑制し、かつ、伝送容量を大きくすることを可能にした無線基地局装置、通信端末、通信処理方法、およびその方法をコンピュータに実行させるためのプログラムを提供することである。
【００１９】
本発明の一側面の無線基地局装置は、複数の移動局それぞれから受信する信号に基づいて複数の移動局毎に遅延スプレッドを推定する受信部と、受信部で推定された遅延スプレッドに基づいて移動局毎にガードインターバルの長さを決定し、決定したガードインターバルの長さおよび所定の長さのデータシンボルとから１フレームに挿入可能なデータシンボルの数であるシンボル数を移動局毎に算出するスケジューリング部と、スケジューリング部で移動局に対応して決定された長さのガードインターバルをその移動局宛のデータシンボルの先頭に付加し、スケジューリング部で算出された、その移動局に対応するシンボル数のデータシンボルを含むフレームをその移動局宛に生成するガードインターバル付加部と、を有し、スケジューリング部は、シンボル数を移動局毎に算出する際、「シンボル数」×「ガードインターバルおよびデータシンボルの合計長」が予め決められた長さ以下になるようにシンボル数を決定する構成である。
【００２０】
本発明の一側面の通信端末は、無線基地局から受信する信号に基づいて遅延スプレッドを推定する受信部と、受信部で推定された遅延スプレッドに基づいてガードインターバルの長さを決定し、決定したガードインターバルの長さおよび所定の長さのデータシンボルとから１フレームに挿入可能なデータシンボルの数であるシンボル数を算出するスケジューリング部と、スケジューリング部で決定された長さのガードインターバルを無線基地局宛のデータシンボルの先頭に付加し、スケジューリング部で算出されたシンボル数のデータシンボルを含むフレームをその無線基地局宛に生成するガードインターバル付加部と、を有し、スケジューリング部は、シンボル数を算出する際、「シンボル数」×「ガードインターバルおよびデータシンボルの合計長」が予め決められた長さ以下になるようにシンボル数を決定する構成である。
【００２１】
本発明の一側面の通信処理方法は、複数の移動局それぞれから受信する信号に基づいて複数の移動局毎に遅延スプレッドを推定し、推定した遅延スプレッドに基づいて移動局毎にガードインターバルの長さを決定し、決定したガードインターバルの長さおよび所定の長さのデータシンボルとから１フレームに挿入可能なデータシンボルの数であるシンボル数を移動局毎に算出し、移動局に対応して決定された長さのガードインターバルをその移動局宛のデータシンボルの先頭に付加し、その移動局に対応するシンボル数のデータシンボルを含むフレームをその移動局宛に生成し、シンボル数を移動局毎に算出する際、「シンボル数」×「ガードインターバルおよびデータシンボルの合計長」が予め決められた長さ以下になるようにシンボル数を決定するものである。
【００２２】
本発明の一側面のプログラムは、複数の移動局それぞれから受信する信号に基づいて複数の移動局毎に遅延スプレッドを推定し、推定した遅延スプレッドに基づいて移動局毎にガードインターバルの長さを決定し、決定したガードインターバルの長さおよび所定の長さのデータシンボルとから１フレームに挿入可能なデータシンボルの数であるシンボル数を移動局毎に算出し、移動局に対応して決定された長さのガードインターバルをその移動局宛のデータシンボルの先頭に付加し、その移動局に対応するシンボル数のデータシンボルを含むフレームをその移動局宛に生成する処理をコンピュータに実行させ、シンボル数を移動局毎に算出する際、「シンボル数」×「ガードインターバルおよびデータシンボルの合計長」が予め決められた長さ以下になるようにシンボル数を決定する処理をコンピュータに実行させるものである。
【図面の簡単な説明】
【００２３】
【図１】図１はガードインターバルを説明するための図である。
【図２】図２は関連する技術の通信処理方法を比較するための図である。
【図３】図３は本実施形態の無線装置の一構成例を示すブロック図である。
【図４】図４は図３に示した無線装置を実際の環境に適応した場合の一例を説明するための図である。
【図５】図５は図４に示した移動局のそれぞれから送信された信号が基地局で受信された場合の様子を示すフレームの模式図である。
【図６】図６は本実施形態の無線装置の動作手順を示すフローチャートである。
【図７】図７は本実施形態の通信処理方法によるフレームおよび図２に示したフレームを示す模式図である。
【図８】図８は本実施形態の通信端末の一構成例を示すブロック図である。
【発明を実施するための形態】
【００２４】
本実施形態の無線装置の構成を説明する。本実施形態の無線装置が無線基地局の場合で説明する。
【００２５】
図３は本実施形態の無線装置の一構成例を示すブロック図である。図３に示す構成は、移動体通信において利用が想定されるＩＥＥＥ８０２．１６ｅの仕様を利用した場合の一例である。
【００２６】
図３に示すように、無線装置１０は、アンテナ１００を介して電波を送受信する無線処理部１０８と、ＯＦＤＭ受信部１０１と、スケジューリング部１０２と、制御部１０３と、シリアルパラレル変換部１０４と、サブキャリア変調部１０５と、ＩＦＦＴ（Inverse  Fast  Fourier  Transform）部と１０６と、ガードインターバル付加部１０７とを有する。
【００２７】
各移動局からアンテナ１００を介して受信した信号は、ＯＦＤＭ受信部１０１に送られる。ＯＦＤＭ受信部１０１は、受信信号からガードインターバルを除去し、受信信号のＦＦＴを行い、サブキャリアの復調を行う回路である。さらに、ＯＦＤＭ受信部１０１は、それぞれの移動局からの信号をもとに遅延スプレッドを推定する回路を有する。
【００２８】
ＯＦＤＭ受信部１０１で復調されたデータ信号はネットワーク（不図示）側へ送られ、一方で遅延スプレッド情報はスケジューリング部１０２に送られる。
【００２９】
無線装置１０には、ＣＰＵ（Central  Processing  Unit）（不図示）とメモリ（不図示）とが設けられ、ＣＰＵがプログラムを実行することで、スケジューリング部１０２が仮想的に構成される。スケジューリング部１０２は、それぞれの移動局の遅延スプレッドから移動局毎のガードインターバル長を次のようにして決定する。スケジューリング部１０２は、フレーム内に挿入しているパイロットシンボルから希望波と遅延波の差分を求める。例えば、希望波は、直接到来する信号であり、建物の壁や地面に反射して到来した信号である。希望波は、これら受信する信号のうち最初に受信する信号である。これらの電波の差分は遅延スプレッドに比例する。そして、スケジューリング部１０２は、差分に対応してガードインターバルの長さを算出する。スケジューリング部１０２は、差分が小さいほどガードインターバル長を小さくし、差分が大きいほどガードインターバル長を大きくする。つまり、スケジューリング部１０２は、遅延スプレッドに比例するガードインターバル長を算出する。さらに、スケジューリング部１０２は、求めたガードインターバル長と、データシンボル長とから１フレーム内に詰め込めるデータシンボルの数を算出する。以下では、１フレームに挿入するデータシンボルの数を、単に「シンボル数」と称する。
【００３０】
制御部１０３は、スケジューリング部１０２からシンボル数の情報を受信すると、１フレームあたりのシンボル数の情報を含むスケジューリング情報に対応して、シリアルパラレル変換部１０４とガードインターバル付加部１０７を制御する回路である。
【００３１】
シリアルパラレル変換部１０４は、ネットワークから入力されるデータをパラレルデータからシリアルデータへ変換する回路である。サブキャリア変調部１０５は、シリアルパラレル変換部１０４の後段に接続され、シリアルデータの変調を行う回路である。ＩＦＦＴ部１０６は周波数軸上に並んだ信号を時間軸に変換する回路である。
【００３２】
ガードインターバル付加部１０７はスケジューリング部１０２で決定されたガードインターバル長の信号を、制御部１０３を介して、データシンボルの先頭に付加する回路である。ガードインターバルが付加されたデータシンボルを含むフレームは、ガードインターバル付加部１０７の後段に接続された無線処理部１０８を介してアンテナ１００から送信される。フレームを移動局毎に割り当てており、１フレーム毎に１ユーザに割り当てられる。
【００３３】
次に、図３に示した無線装置１０の動作を説明する。図４は図３に示した無線装置を実際の環境に適応した場合の一例を説明するための図である。図４に示す基地局３０１に図３に示した無線装置１０が設けられている。
【００３４】
図４に示すサービスエリア３の中心に基地局３０１が設けられている。サービスエリア３は基地局３０１が移動局と無線通信可能な範囲である通信圏に相当する。そして、図４に示すように、基地局３０１との距離がそれぞれ異なる３つの移動局３０２、３０３、３０４があるものとする。また、図４に示すように、建物４０２、４０３、４０４が点在しているものとする。移動体通信においては、図４に示すように、１つの基地局３０１に対して複数の移動局３０２、３０３、３０４が通信を行う。
【００３５】
移動局３０２、３０３、３０４のそれぞれから基地局３０１に対して信号を送信すると、建物４０２の影響で移動局３０２の遅延波３２ｕが発生し、建物４０３の影響で移動局３０３の遅延波３３ｕが発生し、建物４０４の影響で移動局３０４の遅延波３４ｕが発生する。移動局３０２の遅延波３２ｕは希望波３２ｄに対して時間ｄ１の遅れで基地局３０１のアンテナ１００に到着する。移動局３０３の遅延波３３ｕは希望波３３ｄに対して時間ｄ２の遅れで基地局３０１のアンテナ１００に到着する。移動局３０４の遅延波３４ｕは希望波３４ｄに対して時間ｄ３の遅れで基地局３０１のアンテナ１００に到着する。
【００３６】
図５は図４に示した移動局のそれぞれから送信された信号が基地局で受信された場合の様子を示すフレームの模式図である。遅延波３２ｕ、３３ｕ、３４ｕのそれぞれの遅れがフレームを用いて表されている。図５から、ｄ１＜ｄ２＜ｄ３の関係にあることがわかる。なお、それぞれの移動局が使用するサブチャネルは固定とする。
【００３７】
図６は本実施形態の無線装置の動作手順を示すフローチャートである。
【００３８】
図３において、アンテナ１００で受信された移動局それぞれの信号は、無線処理部１０８を介して、ＯＦＤＭ受信部１０１で復調され、遅延スプレッドが推定される（ステップ１０１）。復調された信号はネットワーク側へ送られ、それぞれの移動局の遅延スプレッド情報、サブキャリアの受信特性などの、移動局毎の受信状況に関する情報は、スケジューリング部１０２に送られる。
【００３９】
スケジューリング部１０２は、各移動局の受信状況からそれぞれのガードインターバル長を次のように決定する。本実施形態では、スケジューリング部１０２は、移動局毎の遅延スプレッドに対応してガードインターバル長を、次のように算出する（ステップ１０２）。スケジューリング部１０２は、遅延スプレッドが小さい移動局に対してはガードインターバル長を小さくし、遅延スプレッドが大きい移動局に対してはガードインターバル長を大きくする。ガードインターバル長は、移動局の遅延スプレッドに比例しており、遅延スプレッドに対応して異なる。
【００４０】
スケジューリング部１０２のガードインターバル長の決定方法を、図５を参照して具体的に説明する。図５に示す移動局３０２のように希望波３２ｄに対して遅延波３２ｕの遅れる時間が小さい場合はガードインターバル長を小さくし、移動局３０４のように希望波３４ｄに対して遅延波３４ｕの遅れが大きい場合はガードインターバル長を大きくする。
【００４１】
続いて、スケジューリング部１０２は、決定したガードインターバル長から、１フレームあたりで削減できるガードインターバル時間を計算する。そして、スケジューリング部１０２は、その計算結果から１フレームに追加できるシンボル数を算出し、１フレームあたりのシンボル数を決定する。そして、スケジューリング部１０２は、決定した、移動局のガードインターバル長と１フレームあたりのシンボル数の情報を制御部１０３に送る。
【００４２】
シリアルパラレル部１０４はネットワーク側から送られたデータをシリアルからパラレルに変換するとともに、制御部１０３から１フレームあたりのシンボル数の情報を含むスケジューリング情報をもとにサブキャリア変調部１０５にデータを送る。サブキャリア変調部１０５でサブキャリア毎に変調を行い、ＩＦＦＴ部１０６で周波数軸上のデータを時間軸上のデータを時間軸データに変換する。移動局が通信を続けている間、１つのサブキャリアはその移動局に独占される。
【００４３】
ガードインターバル付加部１０７は、スケジューリング部１０２で移動局に対応して決定したガードインターバル長を、その移動局宛のデータシンボルに対して、制御部１０３の通知をもとに１シンボル毎にガードインターバルを付加する（ステップ１０３）。続いて、ガードインターバル付加部１０７は、スケジューリング部１０２で算出された、移動局に対応するシンボル数のデータシンボルを含むフレームを無線処理部１０８を介してアンテナ１００からＯＦＤＭ信号として送信する。
【００４４】
次に、本実施形態の通信処理方法によるフレームと図２に示したフレームとを比較する。
【００４５】
図７は本実施形態の通信処理方法によるフレームおよび図２に示したフレームを示す模式図である。図７はユーザ１からユーザ４のそれぞれの移動局についてのフレームが示されている。
【００４６】
図７に示すように、ＧＩ長一定の場合と特許文献１の場合では、ユーザ１からユーザ４のフレームのシンボル数を合計すると、どちらの場合も合計値は１６個である。これに対して、本実施形態では、上記２例と同じフレーム長で、ユーザ１からユーザ４のフレームのシンボル数を合計すると、その値は１８個である。
【００４７】
本実施形態では、図７に示すように、ユーザ２とユーザ４では、ガードインターバル長が長く、それぞれデータシンボルの数が４個であるが、ユーザ１とユーザ３では、ガードインターバル長が短く、それぞれデータシンボルの数が５個になっている。これは、ユーザ１とユーザ３の信号では、ガードインターバル長を短くした時間に応じてフレーム内にデータシンボルを追加できたからである。図７からわかるように、本実施形態では、ＧＩ長を一定にした場合および特許文献１の場合よりも、伝送容量を向上させることができる。
【００４８】
なお、本実施形態では、無線基地局装置による上り回線から下り回線への通信処理方法を説明したが、本実施形態の通信処理方法を基地局側ではなく、移動局となる通信端末による下り回線から上り回線への通信で行ってもよい。図８は本実施形態の通信端末の一構成例を示すブロック図である。図８には図３と同様な構成については同一の符号を付し、その詳細な説明を省略する。図８に示す通信端末３００は、図３に示した無線装置１０に設けられた構成の他に、音声が入力される入力部１１０と、音声を出力するための出力部１１１とを有する。この場合、各通信端末３００は、無線装置１０の動作と同様にして、基地局装置から受信する信号の遅延スプレッドに対応してガードインターバル長を決定すればよく、その詳細な説明を省略する。
【００４９】
本実施形態は、様々な伝搬環境によって発生する遅延波から遅延スプレッドを計算し、その判定値からガードインターバルを動的に変化させる。遅延スプレッドが小さい伝搬環境に存在する移動局には、ガードインターバルの長さを短くする。一方、遅延スプレッドが大きい伝搬環境に位置する移動局には、ガードインターバルの長さを長くする。そして、１フレーム内のガードインターバルの長さを最終的に短縮することができた場合、その短縮した分の時間をデータシンボルの追加分に割り当てる。その結果、通信システム全体の伝送容量を大きくすることができる。
【００５０】
また、基地局と各移動局間において、希望波と遅延波の差分が移動局毎に異なるため、ガードインターバルを移動局毎に設定ができる。その差分が短い移動局にはガードインターバルの長さを短くし、短縮した分の時間をシンボルデータに割り当てることによって伝送容量を向上させることができる。一方、その差分が大きい移動局にはガードインターバルの長さを長くし、符号間干渉による伝送容量低下を抑制することができる。
【００５１】
また、本実施形態では、１フレームを１ユーザに割り当てて通信を行っている。あるユーザの通信が続いている間、そのユーザがサブキャリアを独占するので、時間軸上で複数ユーザによってサブキャリアをシェアすることはない。
【００５２】
また、本実施形態では、スケジューリング部１０２は遅延スプレッドの大きさに比例してガードインターバルの長さを算出している。そのため、ガードインターバルの長さのパターンを予め複数準備しておく必要がない。
【００５３】
また、本実施形態では、１フレーム毎（ミリ秒オーダの短時間毎）にガードインターバルの長さを計算により決定しているため、よりリアルタイムに通信処理を行うことが可能となる。
【００５４】
さらに、ＯＦＤＭ無線通信のガードインターバルは符号間干渉を考慮して長めに設定されているため、ＧＩ長一定の場合と本実施形態の場合とを比較すると、本実施形態の方が通信システム全体の伝送容量を向上させることができる。
【００５５】
なお、本実施形態では、スケジューリング部１０２は、ＣＰＵがプログラムを実行することで構成される場合で説明したが、スケジューリング部１０２の動作に準じた専用回路を無線装置に設けてもよい。
【００５６】
また、本発明は上記実施形態に限定されるものではない。本発明を、ＭＣ−ＣＤＭＡ（Multi-  Carrier  Code  Division  Multiple  Access）通信などのガードインターバルを必要とする無線通信システムにも適用することができる。
【００５７】
本発明の効果の一例として、符号間干渉の影響を抑制し、かつ、伝送容量を大きくすることができる。
【００５８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００５９】
なお、この出願は、２００９年３月３１日に出願された日本出願の特願２００９−０８５５５０の内容が全て取り込まれており、この日本出願を基礎として優先権を主張するものである。
【符号の説明】
【００６０】
１０    無線装置
１０１    ＯＦＤＭ受信部
１０２    スケジューリング部
１０３    制御部
１０４    シリアルパラレル変換部
１０５    サブキャリア変調部
１０６    ＩＦＦＴ部
１０７    ガードインターバル付加部
１０８    無線処理部
【図１】
0005408245.tif 000002
【図２】
0005408245.tif 000003
【図３】
0005408245.tif 000004
【図４】
0005408245.tif 000005
【図５】
0005408245.tif 000006
【図６】
0005408245.tif 000007
【図７】
0005408245.tif 000008
【図８】
0005408245.tif 000009